(57)【特許請求の範囲】
【請求項１】
建物の構造躯体の内部空間において、該構造躯体に固定された支持部に、膜材張力調整部材を介して端部の膜定着棒材を取り付け、該膜定着棒材に、その長手方向に沿って端部が定着され均等な張力が付与された膜材を、前記構造躯体の内面に所定の離れをとって、少なくとも壁面あるいは天井面の一部を構成するように張設し、前記内部空間内に前記膜材表面が内装材となるようなインフィルを画成したことを特徴とする膜材による内装システム。
【請求項２】
前記膜材は、複数本の膜定着棒材で均等な張力が付与されて接合され、前記壁面あるいは天井面となる内装材として使用されることを特徴とする請求項１に記載の膜材による内装システム。
【請求項３】
前記膜材は、前記膜定着棒材が、膜材張力調整部材を介して前記支持部に取り付けられたことを特徴とする請求項１記載の膜材による内装システム。
【発明の詳細な説明】
【０００１】
【発明の属する技術分野】
本発明は膜材による内装システムに係り、特にＳＩ住宅等におけるインフィルとして好適な膜材による内装システムに関する。
【０００２】
【従来の技術及び発明が解決しようとする課題】
近年、住宅の長寿命化の実現のための方策が色々と検討されているが、そのひとつとしてＳＩ住宅というコンセプトが注目されている。すなわち、建物の構造躯体であるＳ（Skeleton,Structure,Support）部分と、その内部で内装、設備としてのＩ（Infil）部分とを明確に区分し、Ｓ部分については構造的に十分強固な耐久性のある構造を計画し、Ｉ部分については多様化するライフスタイルやライフステージに柔軟性をもって対応できるような可変のシステムの開発を行うものとしている。
【０００３】
しかし、軽量可動間仕切や可動収納ユニット等によるインフィルの工事は、あらかじめ設計段階で内装を決定し、Ｓ部分に部材の一部を固定させて行われるため、本格的な改修工事等の機会が無ければ、住人が間取りの変更や模様替えを望んだ場合でも、そのレイアウトや造作を自由に変更することは容易ではない。また、内装壁紙を選んだ場合にも、一部の壁紙を貼り替えるような模様替えは難しいとされていた。
【０００４】
一方、出願人は所定のテンションで膜材を張設し外装材として利用したいわゆる膜構造物を数多く手がけてきた。この膜材は所定のテンションを加えることで視覚的に板材等と同様の平面を構成することができるし、また、微妙な曲面を構成することもできる。しかし、これらの膜材も一旦張設されると定着部分で取り外して別の膜材に取り替えることが難しくインフィルとしての更新容易性の面で工夫が必要であった。
【０００５】
そこで、本発明の目的は上述した従来の技術が有する問題点を解消し、インフィルとして間取りの変更、模様替えに容易に対応でき、膜材という従来にない内装コンセプトを取り込むことを容易にした膜材による内装システムを提供することにある。
【０００６】
【課題を解決する手段】
上記目的を達成するために、本発明は建物の構造躯体の内部空間において、該構造躯体に固定された支持部に、膜材張力調整部材を介して端部の膜定着棒材を取り付け、該膜定着棒材に、その長手方向に沿って端部が定着され均等な張力が付与された膜材を、前記構造躯体の内面に所定の離れをとって、少なくとも壁面あるいは天井面の一部を構成するように張設し、前記内部空間内に前記膜材表面が内装材となるようなインフィルを画成したことを特徴とする。
【０００７】
前記膜材は、複数本の膜定着棒材で均等な張力が付与されて接合され、前記壁面あるいは天井面となる内装材として使用されることが好ましい。
【０００９】
【発明の実施の形態】
以下、本発明の膜材による内装システムの一実施の形態について、添付図面を参照して説明する。
図１は、仮想線で示された建物構造躯体としてのＳ部分１に対してＳ部分１に支持された膜膜定着バー１１に定着されることで、内装としてのＩ部分に本発明の膜材内装システムが施工された概略構成を示した斜視図である。同図に示したように、内装として所定寸法の膜材が膜膜定着バー１１を介して接続され、側面においては壁面を上面においては天井面を構成している。たとえば膜材１０（以下、必要に応じて天井膜材１０Ａ，壁膜材１０Ｂとして区別して説明する。）のうち、天井には張間方向を横断するように１枚の天井膜材１０Ａが張設されている。一方、壁膜材１０Ｂは、壁面を構成する場合900×1800mmの定尺寸法を基準として横使いで配置され、壁面全面を覆うようになっている。対面する両側の回り縁（図示せず）位置には隅角部膜定着バー１２が固定されており、この隅角部膜定着バー１２に天井膜材１０Ａと壁面膜材１０Ｂのそれぞれの膜端部を定着させるようになっている。膜材寸法は、内装計画に従って決定することができ、その場合、膜材１０全面に均等に所定の張力が付与できるように膜定着バー１１等の寸法を適切に決定することが好ましい。
【００１０】
まず、膜材、膜定着部分の構成について図２，図３を参照して説明する。各膜材１０の端部には膜端定着部加工がされている。この膜端定着加工は膜定着バー１１に端部を定着させるためのものである。各膜材１０は、所定寸法に加工される際に膜端に沿って合成繊維製の定着用ロープ１３（以下、エンドロープ）が袋縫いされている。例えば２枚の膜を接合する場合には、図３に示したように、各膜のエンドロープ１３を膜定着バー１１の長手方向に沿って形成されているグルーブ（溝）に挿入することで２枚の膜材１０の端部を長手方向にわたって見栄え良く合わせることができる。本実施の形態では膜定着バー１１として、２種類の断面形に加工されたアルミニウム形材を使用している。一般接合部および膜下端の定着端に使用可能な円管断面形の膜定着バー１１は、グルーブ１１ａ側が薄くなるように、わずかに肉厚を変化させている。また、膜材定着時に膜材１０とのなじみを良くするためにグルーブ端１１ｂが内方に向けてわずかにフランジ加工されている。一方、隅角部膜定着バー１２は、壁面の上端と天井端との取り合い部分に使用される。その断面形はグルーブ１２ａ側が半円形状をなし、固定側１２ｂが略角形に加工されている。これにより、Ｓ部分１の固定部側に取付ボルト５で取り付け容易になっている。また、グルーブ端には外向きにフランジ１２ｃが形成され、角度をなして接合される２枚の膜材１０Ａ，１０Ｂの接合部の見栄えをよくしている。
【００１１】
図２において、膜定着バー１１の固定状態及び各膜定着バー１１による膜材各部の定着部の構成について説明する。同図に示したように、Ｉ部分２として構築された床面上の所定位置に形鋼アンカーフレーム４が固定されている。この形鋼アンカーフレーム４のフランジ４ａに壁面の膜下端となる膜定着バー１１が取付ボルト５を介して定着される。一方、壁面の膜上端となる隅角部膜定着バー１２は、本実施の形態では２個の山形鋼からなる形鋼アンカーフレーム４のフランジ４ａに同様に取付ボルト５によって固定されている。このとき天井膜材１０Ａの反対側の隅角部膜定着バー１２の取付ボルト５にはターンバックル６が取り付けられており、このターンバックル６を調整することで天井膜材１０Ａの取付時に天井膜材１０Ａに所定のテンションを付与することができる。同様に壁下端の膜定着バー１１の取付ボルト５も長ネジとなっていて壁膜材１０の張設後、取付ボルト５のナット締め込みにより壁膜材１０Ｂのテンションを増して張りしわ等を取り除くことができる。
【００１２】
なお、壁膜材１０Ｂは、Ｓ部分の下地壁面と所定の離れをあけてインフィル壁面を構成するようにする以外、インフィル空間を仕切る仕切面（壁）として配置することも好ましい。
【００１３】
本実施の形態では膜定着バー１１として、上述したアルミニウム形材を使用したが、前述のエンドロープ１３を長手方向で連続して保持し、膜材に均等な張力を付与できるような棒状部材であれば樹脂製品、木材等の天然材料等、種々のものを使用することができる。
【００１４】
以上で述べた膜材１０は、室内内装として例えば防炎性、不燃性等の所定の内装材の規格を満たすように加工されるとともに、所定の膜テンションをかけた際に適正な伸びを示すような材質のものであれば、天然、合成繊維織布、編布、またはこれらに所定のコーティングを施した膜材、樹脂フィルム、繊維ネット、金網等、好みに応じた素材を選択できる。また、各種材質の膜材を組み合わせて壁面を構成したり、図１の一部に示したように、Ｓ部分の一部に窓等の開口７が設けられている場合、その開口部分に対応する位置の膜材にも開口１０ａを設けることで開口７を窓として活かすことができる。また、天井膜材１０Ａの裏側（上側）に蛍光灯８等の照明設備を配置することで、天井膜材１０Ａを通しての間接照明効果を得ることができる。直接照明を吊り下げたい場合には照明設備位置に開口を設けてその開口部分に直に照明を取り付けたり、切り取られた開口（図示せず）を介して照明を吊り下げたりできる。さらに、壁膜材の一部に開口を設け、背面側から薄型スピーカーや、シート液晶パネル等のＡＶ機器、ＯＡ機器を設置することができる。また、プロジェクターによる映写を行う場合に、従来の内装膜材の一部を、スクリーンとして利用できる遮光膜材に取り替えることも簡単にできる。
【００１５】
本実施の形態では、膜定着バー１１で接合された横接合部１０ｙに対して縦接合部１０ｘは樹脂製スライドファスナーを閉じるようにして接合されている。このほか、ロープ等で編んで膜材同士をつなげる等、各種の装飾的な接合も考慮することができる。また、この樹脂製スライドファスナーは、接合箇所のみでなく、ハンドホール的な機能を持たせるために膜面の任意の位置に取り付けることができる。その場合、ファスナー開口部分からインフィル背面に手を入れて配線や修理等のメンテナンス作業を容易に行うことができる。
【００１６】
次に、この膜材１０を用いた内装システムを用いて適用可能な施工例について図４〜図８を参照して説明する。なお、各図では簡単化のためにＳ部分（図示せず）天井からの吊り材２０を模式的に表示している。
【００１７】
図４では、図１の場合と異なり、天井膜材１０Ａの張設において長い膜定着バー１１を利用することで長手方向に複数枚の膜材１０を流して使用することができ、広い面積の天井に対応させることができる。
【００１８】
図５以後は天井膜材１０Ａの施工についてのバリエーションを示している。図５は通し膜定着バー１１Ａと、その間に上下に位置する膜定着バー１１Ｂとを配し、天井面を折板状に仕上げた施工例を示しており、このとき略菱形の開口２１ができるので、本例ではこの開口２１を利用して採光や通風に工夫をもたせることができる。図６では、天井面高さを一部切り替えることにより、居室空間側の広がりに変化を与えることができる。
【００１９】
図７の各図は、使用する膜材の生地のバイアス方向伸びを利用し定着グローブ（球）２１を用いて天井膜材１０Ａの頂点位置のみの定着を行うようにした施工例を示している。同図（ａ）に示した定着グローブ２２には吊り材２０下端及びスペーサバー２３の端部が連結できるようなボルト孔（図示せず）が設けられており、吊り材２０下端、スペーサバー２３端部に形成されたネジ部を介して定着グローブ２２に連結することで、天井のフレーム構成を完成させ、そのうちスペーサバー２３で囲まれた四角い面内に、その四隅の頂点１０ｅを定着グローブ２２に向けて伸ばして定着グローブ２２の定着部（図示せず）定着し、図示したような形状の天井を得ることができる。同図（ｂ）では各定着グローブ２２間を繋ぐスペーサバー２３を省略してあるため、定着グローブ２２に定着された膜材１０の張力で定着グローブ２２の位置が決められるようになっており、フレキシブルな天井として仕上がる。
【００２０】
図８（ａ）に示したように天井膜材１０Ａ全面を一定のテンションで張設する場合に対して、図８（ｂ）は、図８（ａ）に示した吊り材及び膜定着バー１１をそのまま使い、膜定着バー１１に定着する膜材１０の寸法を交互に変えて天井膜材１０Ａの張り具合に変化を持たせた例を示している。
【００２１】
【発明の効果】
以上に述べたように、いわゆるＳＩ住宅において、内装としてのＩ部分をフレキシブルに構成することができ、従来ない壁、天井等の内装を提供することができるとともに、模様替え等も簡単に行えるという効果を奏する。
具体的には、前記膜材の端部を定着する膜定着棒材を簡単に脱着することができるため、膜材の取り替えを容易に行え、模様替えを簡単に行うことができる。また、２次部材としての膜材の取り付けに接着剤を一切使わないので、ホルムアルデヒドや溶剤等の揮発作用によってもたらされるシックハウス化を防止することができる。
【００２２】
さらに、内装材としての膜材は軽量で、折り畳んでコンパクトな状態で現場に搬入できるので施工性も極めて高い。そのサイズも自由度が高いため、２次部材としての膜材を支持する下地部材の制約を低減できる等の効果も期待できる。
【図面の簡単な説明】
【図１】本発明による膜材による内装システムの一実施の形態を部分的に示した概略斜視図。
【図２】本発明の膜材による内装システムの一例を示した部分断面図。
【図３】膜材端の定着構造を示した部分拡大断面図。
【図４】膜材の内装システムによる内装壁、天井膜材の張設例を示した斜視図。
【図５】膜材の内装システムによる内装天井膜材の張設例を示した斜視図。
【図６】膜材の内装システムによる内装天井膜材の張設例を示した斜視図。
【図７】膜材の内装システムによる内装天井膜材の張設例を示した斜視図。
【図８】膜材の内装システムによる内装天井膜材の張設例を示した斜視図。
【符号の説明】
１  Ｓ部分
２  Ｉ部分
４  形鋼アンカーフレーム
５  取付ボルト
６  ターンバックル
１０  膜材
１０Ａ  天井膜材
１０Ｂ  壁膜材
１１  膜定着バー
１２  隅角部膜定着バー
１３  エンドロープ
２２  定着グローブ
２３  スペーサバー
【図１】
0004801287.tif 000002
【図２】
0004801287.tif 000003
【図３】
0004801287.tif 000004
【図４】
0004801287.tif 000005
【図５】
0004801287.tif 000006
【図６】
0004801287.tif 000007
【図７】
0004801287.tif 000008
【図８】
0004801287.tif 000009